(57)【要約】      （修正有）【課題】吸気弁の作動不良を低減した発泡用ウィジェットを提供する。【解決手段】発泡用ウィジェット１００は、上側チャンバ１０と、下側チャンバ２０とを有するチャンバ１と、収容空間Ｓ内にガスを供給する吸気流路１６ｂと、吸気流路１６ｂを通じたガスの導入を許容すると共にガスの排出を阻止する吸気弁２と、収容空間Ｓ内のガスを外部に噴出する噴出流路２４ｂと、上側チャンバ１０から下方に垂下する吸気側筒部１４と、吸気側筒部１４の径方向内側に設けられ、下側チャンバ２０から上方へ延びる突出部２４とを備え、吸気弁２は、上下に移動可能な移動弁体３０と弁座１６とを有し、移動弁体は、突出部の上部に当接することで下方への移動を制限され、吸気側筒部１４の内面には、移動弁体が突出部の上部に当接した状態で移動弁体から下方に離間して配置され吸気側筒部１４からの移動弁体の抜け出しを抑制する抜け止め部１４ｂが設けられている。【選択図】図１
2020139587.tif 000002
【特許請求の範囲】
【請求項１】
上側チャンバと、該上側チャンバの下部に装着される下側チャンバとを有し、ガスの収容空間を形成するチャンバと、
該上側チャンバに設けられ、前記収容空間内にガスを供給する吸気流路と、
該吸気流路を通じた外部からのガスの導入を許容すると共にガスの排出を阻止する吸気弁と、
前記下側チャンバに設けられ、前記収容空間内のガスを外部に噴出する噴出流路と、
前記上側チャンバから前記収容空間内を下方に垂下する吸気側筒部と、
該吸気側筒部の径方向内側に設けられ、前記下側チャンバから前記収容空間内を上方へと延びる突出部と
を備え、
前記吸気弁は、前記吸気側筒部の内側を上下に移動可能な移動弁体と、前記吸気側筒部の上部に形成され、前記チャンバ内の正圧により該移動弁体が着座する弁座とを有し、
前記移動弁体は、前記突出部の上部に当接することで下方への移動を制限されており、
前記吸気側筒部の内面には、前記移動弁体が前記突出部の上部に当接した状態において、前記移動弁体から下方に離間して配置され前記吸気側筒部からの前記移動弁体の抜け出しを抑制する抜け止め部が設けられていることを特徴とする発泡用ウィジェット。
【請求項２】
前記突出部は、内部に前記噴出流路が形成された噴出側筒部である、請求項１に記載の発泡用ウィジェット。
【請求項３】
前記噴出側筒部の上部には、周方向の少なくとも１箇所において前記移動弁体と前記噴出側筒部との間に隙間を形成する切り欠き部が設けられている、請求項２に記載の発泡用ウィジェット。
【請求項４】
前記抜け止め部は、前記吸気側筒部の内面において径方向内側に突出する抜け止めリブである、請求項１から３のいずれか一項に記載の発泡用ウィジェット。
【請求項５】
前記噴出流路の流路面積は、前記吸気流路の流路面積よりも小さい、請求項１から４のいずれか一項に記載の発泡用ウィジェット。
【請求項６】
前記下側チャンバから上方へ延びると共に前記噴出側筒部の径方向外側に設けられた補助筒部を更に備える、請求項２又は３に記載の発泡用ウィジェット。
【発明の詳細な説明】
【技術分野】
【０００１】
本発明は、主に飲料用容器内に飲料と共に封入して飲料を効率的に発泡させる、発泡用ウィジェットに関するものである。
【背景技術】
【０００２】
従来、主に飲料用容器内に飲料と共に封入し、容器の開栓時に飲料を発泡させるための発泡用ウィジェットとして、例えば特許文献１に記載されるように、ガスの収容空間を形成するチャンバと、チャンバに形成された吸気孔と、吸気孔を通じた外部からのガスの導入を許容すると共にガスの排出を阻止する吸気弁と、チャンバにおける吸気孔の下方に形成された噴出孔と、を備えることをものが知られている。
【０００３】
このような発泡用ウィジェットによれば、飲料用容器を開栓したときにチャンバ内のガスを噴出して飲料を発泡させることができる。
【先行技術文献】
【特許文献】
【０００４】
【特許文献１】特開２０１９−  ２６３４３号公報
【発明の概要】
【発明が解決しようとする課題】
【０００５】
ところで、特許文献１に記載される発泡用ウィジェットでは、上側チャンバ内に収容された弁体が下方から抜け出さないように、中央筒部の内面に抜け止め部を設けることが考えられる。しかし、抜け止め部は、弁体を径方向外側から囲むように保持することになるため、抜け止め部に弁体が貼り付いたり引っ掛かったりして作動不良が発生する場合が想定されるため、改善の余地があった。
【０００６】
本発明は、このような事情に鑑み開発されたもので、吸気弁の作動不良を低減した発泡用ウィジェットを提供することを目的とする。
【課題を解決するための手段】
【０００７】
本発明の発泡用ウィジェットは、
上側チャンバと、該上側チャンバの下部に装着される下側チャンバとを有し、ガスの収容空間を形成するチャンバと、
該上側チャンバに設けられ、前記収容空間内にガスを供給する吸気流路と、
該吸気流路を通じた外部からのガスの導入を許容すると共にガスの排出を阻止する吸気弁と、
前記下側チャンバに設けられ、前記収容空間内のガスを外部に噴出する噴出流路と、
前記上側チャンバから前記収容空間内を下方に垂下する吸気側筒部と、
該吸気側筒部の径方向内側に設けられ、前記下側チャンバから前記収容空間内を上方へと延びる突出部と
を備え、
前記吸気弁は、前記吸気側筒部の内側を上下に移動可能な移動弁体と、前記吸気側筒部の上部に形成され、前記チャンバ内の正圧により該移動弁体が着座する弁座とを有し、
前記移動弁体は、前記突出部の上部に当接することで下方への移動を制限されており、
前記吸気側筒部の内面には、前記移動弁体が前記突出部の上部に当接した状態において、前記移動弁体から下方に離間して配置され前記吸気側筒部からの前記移動弁体の抜け出しを抑制する抜け止め部が設けられていることを特徴とする。
【０００８】
本発明の発泡用ウィジェットは、上記構成において、前記突出部は、内部に前記噴出流路が形成された噴出側筒部であることが好ましい。
【０００９】
本発明の発泡用ウィジェットは、上記構成において、前記噴出側筒部の上部には、周方向の少なくとも１箇所において前記移動弁体と前記噴出側筒部との間に隙間を形成する切り欠き部が設けられていることが好ましい。
【００１０】
本発明の発泡用ウィジェットは、上記構成において、前記抜け止め部は、前記吸気側筒部の内面において径方向内側に突出する抜け止めリブであることが好ましい。
【００１１】
本発明の発泡用ウィジェットは、上記構成において、前記噴出流路の流路面積は、前記吸気流路の流路面積よりも小さいことが好ましい。
【００１２】
本発明の発泡用ウィジェットは、上記構成において、前記下側チャンバから上方へ延びると共に前記噴出側筒部の径方向外側に設けられた補助筒部を更に備えることが好ましい。
【発明の効果】
【００１３】
本発明によれば、吸気弁の作動不良を低減した発泡用ウィジェットを提供することができる。
【図面の簡単な説明】
【００１４】
【図１】本発明の一実施形態に係る発泡用ウィジェットの正面半断面図である。
【図２】本発明の一実施形態に係る発泡用ウィジェットの平面図である。
【図３】図１における、抜け止め部部分の拡大図である。
【図４】本発明の一実施形態に係る発泡用ウィジェットの正面断面図であって、（ａ）は飲料が発泡用ウィジェット内に侵入していない状態を示す図であり、（ｂ）は飲料が噴出孔から発泡用ウィジェット内に侵入している状態を示す図である。
【図５】本発明の一実施形態に係る発泡用ウィジェットによって、飲料用容器内の飲料を発泡させる手順を示すフローチャートである。
【発明を実施するための形態】
【００１５】
以下、図１〜図５を参照して、本発明の一実施形態に係る発泡用ウィジェット１００について詳細に例示説明する。
【００１６】
なお、本明細書において上下方向とは、図１の上下方向を基準とし、容器の中心軸線Ｏに沿って吸気孔１６ａが配置される側を上方、噴出孔２４ａが配置される側を下方とする。また、径方向外側とは、図１における発泡用ウィジェット１００の中心軸線Ｏを通り中心軸線Ｏに垂直な直線に沿って外側に向かう方向であり、径方向内側とは、当該直線に沿って中心軸線Ｏに向かう方向を意味するものとする。
【００１７】
図１に示すように、本実施形態に係る発泡用ウィジェット１００は、外部からガスを吸気する吸気流路１６ｂを設けた上側チャンバ１０と、上側チャンバ１０の下部に装着されガスを噴出させる噴出流路２４ｂを設けた下側チャンバ２０と、吸気弁２を形成する球状弁体３０（移動弁体）とを備えている。なお、上側チャンバ１０と下側チャンバ２０とにより、ガスを収容する収容空間Ｓを形成するチャンバ１が構成されている。
【００１８】
上側チャンバ１０は、図１に示すように、上側チャンバ１０の上部を形成し略球弧形状を有する薄肉の外殻部１２を有しており、その上端部には、下方に向けて垂下する円筒状の吸気側筒部１４が一体形成されている。
【００１９】
吸気側筒部１４は、中央高さより上方寄りにおいて下方に向かって縮径する段部１４ａを有しており、段部１４ａにおける内周面には、径方向内側に向かって上方に傾斜する弁座１６が設けられている。すなわち、弁座１６は、上方に向かって縮径する円錐台の側面形状を有している。また、弁座１６の内側空間は、外部（飲料用容器）から吸気孔１６ａ（図１及び図２参照）を通じて収容空間Ｓ内にガスを供給可能な吸気流路１６ｂの一部を構成している。
【００２０】
弁座１６は、球状弁体３０が下方から着座することにより収容空間Ｓから外部へのガスの漏出を阻止する役割を果たす。すなわち、球状弁体３０と弁座１６により、一方向弁である吸気弁２を構成している。吸気弁２は、外部から吸気流路１６ｂを通じた収容空間Ｓ内へのガスの供給を許容すると共に、吸気流路１６ｂを通じた収容空間Ｓ内から外部へのガスの漏出を阻止している。なお、吸気弁２は、内外に圧力差が生じていない初期状態においては、球状弁体３０が自重で弁座１６から離れ、後述する下側チャンバ２０の噴出側筒部２４（突出部）の上部に当接することで開放されている。
【００２１】
吸気側筒部１４の内側空間には、下側チャンバ２０の噴出側筒部２４の一部が下方より進入し配置されている。噴出側筒部２４の上部には、周方向に間欠的に切り欠き部２４ｃが形成されており、これによって球状弁体３０が噴出側筒部２４の上部に貼り付いたり引っ掛かることを抑制している。吸気孔１６ａから取り込まれたガスは、吸気流路１６ｂ内における球状弁体３０と吸気側筒部１４との隙間空間を通じて収容空間Ｓ内に取り込まれる。
【００２２】
図３に示すように、吸気側筒部１４の内面には、径方向内側に突出する抜け止めリブ１４ｂ（抜け止め部）が設けられている。抜け止めリブ１４ｂは、周方向に間欠的に設けられた複数のリブであり、球状弁体３０が噴出側筒部２４の上部に当接した状態において、球状弁体３０から下方に離間して配置されている。従って、球状弁体３０は、吸気側筒部１４内の移動範囲の下端において噴出側筒部２４の上部に当接し、抜け止めリブ１４ｂに接触することがない。従って、球状弁体３０が抜け止めリブ１４ｂに貼り付いたり引っ掛かったりすることに起因する吸気弁２の作動不良を低減することができる。
【００２３】
なお、本実施形態では、噴出側筒部２４の上部の外径が下部に対して縮径されており、噴出側筒部２４の上部の外径が、抜け止めリブ１４ｂの内周端同士の距離（内径）よりも小さくなるように構成されている。これによって、噴出側筒部２４の上部が抜け止めリブ１４ｂに当接しないようにされている。
【００２４】
ここで、球状弁体３０の移動範囲の下端を抜け止めリブ１４ｂではなく噴出側筒部２４の上部により制限した方が、球状弁体３０の貼り付きや引っ掛かりを抑制し易い理由について説明する。
【００２５】
仮に球状弁体３０が抜け止めリブ１４ｂに当接した場合には、球状弁体３０が径方向外側から抜け止めリブ１４ｂにより囲まれることになるため、球状弁体３０と抜け止めリブ１４ｂとの当接は「嵌合」の状態に近く、球状弁体３０と抜け止めリブ１４ｂとの接触面積も大きくなり易い。従って、球状弁体３０が抜け止めリブ１４ｂに当接した場合には貼り付き等が起こり易いものと考えられる。
【００２６】
他方、球状弁体３０が噴出側筒部２４の上部に当接した場合には、抜け止めリブ１４ｂよりも直径が小さい噴出側筒部２４の上部が下方から球状弁体３０に当接するため、球状弁体３０と噴出側筒部２４の上部との当接は下方からの「突き上げ」の状態に近いものと考えられる。また、本実施形態では、噴出側筒部２４の上部の当接部における周方向の少なくとも１箇所に切り欠き部２４ｃを設けたので、球状弁体３０と噴出側筒部２４の上部との接触面積を減らすことができるほか、噴出側筒部２４内の圧力が吸気側筒部１４内の圧力に対して負圧となった場合でも当該負圧に起因して球状弁体３０が噴出側筒部２４の上部に貼り付くことを抑制できる。従って、球状弁体３０が噴出側筒部２４の上部に当接した場合には貼り付き等が起こり難いものと考えられる。
【００２７】
抜け止めリブ１４ｂの向かい合う内周端同士の距離（内径）は、球状弁体３０の直径よりも短く構成されている。これによって、上側チャンバ１０に下側チャンバ２０が未だ装着されていない状態において、吸気流路１６ｂ内に球状弁体３０をセットした場合でも、球状弁体３０は、容易に抜け止めリブ１４ｂを通過して下方に抜け出すことができない。従って、抜け止めリブ１４ｂは、球状弁体３０が吸気側筒部１４から下方に抜け出すのを抑制する抜け止め部として機能する。
【００２８】
図１の左右方向における外殻部１２の外端部には、下方に延びる筒状形状の周壁１８が設けられており、周壁１８の下端部には更に下方に延びる嵌合部１３が形成されている。図１に示すように、嵌合部１３は、外殻部１２及び周壁１８よりも厚肉に形成されており、嵌合部１３の外面が下側チャンバ２０の嵌合壁２６に嵌合することによって、上側チャンバ１０に下側チャンバ２０が装着されている。また、嵌合部１３の上端部における径方向外側には、フランジ１３ａを介して外周壁１３ｃが形成されている。外周壁１３ｃの上部には、周方向に間欠的に嵌合孔１３ｂ（図１及び図２参照）が形成されている。各嵌合孔１３ｂは、後述する下側チャンバ２０の爪部２６ａを外周壁１３ｃの上端部にアンダーカット係合させるために形成されている。嵌合壁２６の内面に嵌合部１３を嵌合させ、爪部２６ａが外周壁１３ｃの上端部にアンダーカット係合することで、下側チャンバ２０が上側チャンバ１０に装着され、固定されている。このとき、嵌合壁２６の上端部がフランジ１３ａに当接することで嵌合壁２６の上方への変位を規制している。
【００２９】
下側チャンバ２０は、図１に示すように、径方向外側に向けて上方に傾斜する略球弧形状を有する外殻部２２を有しており、その中央部には、上方に延びる略円柱状の噴出側筒部２４が一体形成されている。噴出側筒部２４の内周面は、ガスの噴出流路２４ｂを形成しており、噴出側筒部２４の下部には、収容空間Ｓ内のガスを外部に噴出させる噴出孔２４ａが形成されている。
【００３０】
ここで、噴出流路２４ｂの流路面積は、収容空間Ｓ内のガスが外部へ流れる流路の断面積のうち、最小となる噴出孔２４ａ部分の断面積を指すものとする。図１の例では、噴出孔２４ａの断面積は上下方向位置に依存せず一定であり、当該断面積が噴出流路２４ｂの流路面積となる。
【００３１】
一方、吸気流路１６ｂの流路面積は、吸気流路１６ｂの断面積のうち、最小となる部分の断面積を指すものとする。図１の例では、吸気流路１６ｂの流路面積は、弁座１６の上方に形成された吸気筒部１６ｄの内側空間（吸気孔１６ａを含む）から、球状弁体３０が噴出側筒部２４の上部に当接した状態における球状弁体３０と吸気側筒部１４との隙間空間までの流路における最小断面積となる。
【００３２】
本実施形態では、噴出孔２４ａ側に弁を設けず、噴出流路２４ｂの流路面積が、吸気流路１６ｂの流路面積よりも小さくなるように構成されている。これによって、飲料用容器の開栓時に収容空間Ｓ内のガスが弁の開放により一気に噴出してしまうことがない。よって、噴出流路２４ｂの流路面積に対応した、泡の発生に適した流量でガスを噴出させることができる。
【００３３】
図１の左右方向における、外殻部２２の端部には、上方へと延びる嵌合壁２６が形成されている。嵌合壁２６の上端部には、図１に示すように、上側チャンバ１０の外周壁１３ｃの上端部にアンダーカット係合させるための爪部２６ａが形成されている。下側チャンバ２０の嵌合壁２６の内面に上側チャンバ１０の嵌合部１３を嵌合させ、爪部２６ａを外周壁１３ｃの上端部にアンダーカット係合させることで上側チャンバ１０と下側チャンバ２０とを固定することができる。なお、上側チャンバ１０への下側チャンバ２０の装着は上述のアンダーカット係合によるものの他、ねじ係合や接着によるものとしてもよい。また、上側チャンバ１０と下側チャンバ２０とが一体形成されるように構成してもよい。
【００３４】
本実施形態では、噴出側筒部２４の径方向外側に、補助筒部２８，２９が同心状に形成されている。このように、補助筒部２８，２９を設けることで、後述するように、輸送時の揺れ等により噴出側筒部２４の外側に飲料が溢れてしまった場合でも、収容空間Ｓ内への飲料の侵入をこの補助筒部２８，２９よりも径方向内側の領域に制限することができる。従って、収容空間Ｓ全体に飲料が入り込むのを抑制し、飲料用容器の開栓時により多くのガスを噴出させることができる。
【００３５】
本実施形態では、図１に示すように、下側チャンバ２０の各部位が上側チャンバ１０と比較して厚肉に形成されており、下側チャンバ２０の質量が上側チャンバ１０の質量より大きい。このように下側チャンバ２０の質量が上側チャンバ１０の質量より大きくなるように構成することで、発泡用ウィジェット１００の重心位置が下側チャンバ２０寄りにシフトする。これによって、発泡用ウィジェット１００を飲料中に浮かべると、下側チャンバ２０が下方に位置し、噴出孔２４ａが飲料の液面より下方に位置することになる。従って、後述するように、飲料用容器を開栓すると、常に収容空間Ｓ内のガスが噴出孔２４ａを通じて飲料中に噴射される。従って、飲料を確実に発泡化することができる。
【００３６】
なお、本実施形態では、上側チャンバ１０よりも下側チャンバ２０を厚肉に形成することにより、下側チャンバ２０の質量が上側チャンバ１０よりも大きくなるように構成したが、この態様には限定されない。例えば、下側チャンバ２０に比重が大きな材料を用いることによって、下側チャンバ２０の質量が上側チャンバ１０の質量より大きくなるように構成してもよい。
【００３７】
本実施形態において、飲料用容器内に充填される飲料としては、ビールや炭酸飲料などの泡立つ飲料が好適であるが、これに限定されるものではなく、他の様々な液体飲料を充填することができる。
【００３８】
上側チャンバ１０及び下側チャンバ２０の材質としては、例えば、ポリプロピレン（ＰＰ）、ポリエチレンテレフタレート（ＰＥＴ）、ポリエチレン（ＰＥ）、ナイロン等の合成樹脂を用いることができるが、これらの材質に限定されるものではない。
【００３９】
次に、本実施形態に係る発泡用ウィジェット１００により、より多くのガスを飲料中に噴出することができる理由について図４（ａ），（ｂ）を用いて説明する。
【００４０】
図４（ａ），（ｂ）は、本実施形態に係る発泡用ウィジェット１００の正面断面図である。発泡用ウィジェット１００を飲料に浮かべた直後は、図４（ａ）に示すように、収容空間Ｓ内には飲料用容器内のガスが充填され、飲料が収容空間Ｓ内に入り込んでいない。しかし、発泡用ウィジェット１００を飲料に浮かべると、発泡用ウィジェット１００の質量と、発泡用ウィジェット１００のうち飲料の液面よりも下方にある部分の体積に相当する飲料の質量とがつり合うように、発泡用ウィジェット１００の一部が飲料に浸る。発泡用ウィジェット１００に作用する飲料からの浮力は、発泡用ウィジェット１００が排除した飲料の重量に等しいからである。このため、チャンバ１の下部に形成された噴出孔２４ａを通じて飲料が徐々に収容空間Ｓ内に侵入する。このとき、収容空間Ｓ内のガスは、吸気流路１６ｂを通じて外部（飲料用容器内）に放出され、発泡用ウィジェット１００内に入り込んだ飲料の液面高さが発泡用ウィジェット１００の外側における飲料の液面高さに一致するようになる。本実施形態では、図４（ｂ）に示すように噴出孔２４ａ及び噴出流路２４ｂの径方向外側に噴出側筒部２４を形成するようにしたので、収容空間Ｓ内に入り込んだ飲料は、噴出側筒部２４の径方向内側の空間にのみ入り込むことになる。従って、発泡用ウィジェット１００内に入り込む飲料の液面高さが発泡用ウィジェット１００の外側における飲料の液面高さに一致した状態において、収容空間Ｓ内に入り込む飲料の体積を抑制することができるので、より多くのガスを飲料中に噴出することができる。従って、飲料用容器内の飲料を効率よく発泡することができる。
【００４１】
なお、噴出側筒部２４の高さは、図４（ｂ）に示すように発泡用ウィジェット１００内に入り込む飲料の液面高さが発泡用ウィジェット１００の外側における飲料の液面高さに一致したときに、噴出側筒部２４の上部から飲料が溢れ出さないように設定することが好ましい。すなわち、発泡用ウィジェット１００の質量と、発泡用ウィジェット１００のうち飲料の液面よりも下方にある部分の体積に相当する飲料の質量とがつり合うように、発泡用ウィジェット１００の一部が飲料に浸ったとき、噴出側筒部２４の上部における切り欠き部２４ｃの下端部の高さが飲料の液面高さよりも高くなるように構成することが好ましい。発泡用ウィジェット１００が用いられる飲料としては、ビールや炭酸飲料の他、様々な飲料等が想定されるが、例えばそれらの飲料のうち最も比重が小さな飲料に対して上述の条件を満たすように噴出側筒部２４の上部の高さを設定することができる。飲料の比重が大きくなれば、飲料に浸る発泡用ウィジェット１００の領域が少なくなるため、必要とされる噴出側筒部２４の高さが低くなる。従って、最も噴出側筒部２４の高さが必要とされる比重が小さな飲料に対して、噴出側筒部２４の上部の高さを設定すればよい。また、飲料として水を想定して、上述の条件を満たすように噴出側筒部２４の上部の高さを設定してもよい。
【００４２】
次に、本実施形態に係る発泡用ウィジェット１００によって、飲料用容器内の飲料を発泡させる手順について図５を用いて説明する。
【００４３】
まず、図示しない飲料用容器内に飲料を充填する際に、本実施形態の発泡用ウィジェット１００を、飲料と共に飲料用容器内に投入する（図５のステップＳ１０１）。発泡用ウィジェット１００は、図１に示すように薄肉の合成樹脂材料で形成されることで軽量化されており、飲料用容器内に投入直後の収容空間Ｓ内には空気が充填されている。従って、発泡用ウィジェット１００は十分な浮力を得て飲料の表面に浮いた状態となる。なお、下側チャンバ２０は上側チャンバ１０よりも質量が大きいため、発泡用ウィジェット１００は、飲料の表面で、下側チャンバ２０が下方に位置する姿勢を維持することができる。ここで、飲料が炭酸飲料である場合、飲料と共に二酸化炭素ガス、又は二酸化炭素ガスと液体窒素が添加される。飲料が炭酸飲料では無い場合、例えば液体窒素が添加される。飲料用容器内に飲料、発泡用ウィジェット１００及びガスが投入されると、蓋体が装着される（ステップＳ１０２）。
【００４４】
飲料用容器を蓋体により封止すると、飲料用容器内のガスにより容器内の圧力が上昇する（ステップＳ１０３）。この飲料用容器内の圧力の上昇によって、発泡用ウィジェット１００の収容空間Ｓ内の圧力より外部（飲料用容器内）の圧力の方が高くなるため、飲料用容器内のガスが、上側チャンバ１０の上端部から吸気流路１６ｂを経由して収容空間Ｓ内に導入される（ステップＳ１０４）。このとき、液体である飲料が噴出流路２４ｂを通じて収容空間Ｓに入る経路も存在するが、本実施形態では、噴出流路２４ｂの流路面積は吸気流路１６ｂの流路面積よりも小さくなるように構成されている。また、噴出孔２４ａ及び噴出流路２４ｂの径方向外側には噴出側筒部２４が形成されているので、飲料は収容空間Ｓ内に侵入したとしても噴出側筒部２４の径方向内側の限定された空間内にのみ導入される。従って、噴出孔２４ａ及び噴出流路２４ｂから収容空間Ｓ内に入る飲料は少量に限定され、収容空間Ｓの大部分は、飲料容器内のガスが充填される。この収容空間Ｓ内にガスが充填される過程では、発泡用ウィジェット１００の収容空間Ｓ内の圧力は飲料用容器内の圧力を越えることはない。そして、収容空間Ｓ内の圧力と飲料用容器内の圧力は平衡状態へと収束する（ステップＳ１０５）。
【００４５】
次に、飲料用容器は、消費者により開栓される（ステップＳ１０６）。これによって、飲料用容器内の圧力は一気に大気圧に開放される。このとき、収容空間Ｓ内の圧力は飲料用容器内の圧力よりも高くなる。すなわち、チャンバ１の収容空間Ｓに正圧が発生している状態となる。収容空間Ｓ内の正圧によって球状弁体３０は上方に向けて押圧され、弁座１６に着座するため、吸気弁２は閉塞し、吸気流路１６ｂが閉塞される（ステップＳ１０７）と共に、収容空間Ｓ内の正圧がかかったガスは、噴出孔２４ａから飲料内に所定の流量で噴出される（ステップＳ１０８）。なお、ここでいう所定の流量は、必ずしも一定の流量の意味ではなく、噴出流路２４ｂの流路面積により定まる、泡の形成に適した流量である。
【００４６】
ガスが飲料内に噴出されると、飲料が攪拌され、飲料内に溶解していたガスも気化して、多数の微細な泡が形成される（ステップＳ１０９）。これらの泡は飲料用容器のヘッドスペースに向けて上昇し、飲料の上部に泡の層を形成する（ステップＳ１１０）。
【００４７】
以上述べたように、本実施形態は、上側チャンバ１０と、上側チャンバ１０の下部に装着される下側チャンバ２０とを有し、ガスの収容空間Ｓを形成するチャンバ１と、上側チャンバ１０に設けられ、収容空間Ｓ内にガスを供給する吸気流路１６ｂと、吸気流路１６ｂを通じた外部からのガスの導入を許容すると共にガスの排出を阻止する吸気弁２と、下側チャンバ２０に設けられ、収容空間Ｓ内のガスを外部に噴出する噴出流路２４ｂと、上側チャンバ１０から収容空間Ｓ内を下方に垂下する吸気側筒部１４と、吸気側筒部１４の径方向内側に設けられ、下側チャンバ２０から収容空間Ｓ内を上方へと延びる突出部とを備え、吸気弁２は、吸気側筒部１４の内側を上下に移動可能な移動弁体（球状弁体３０）と、吸気側筒部１４の上部に形成され、チャンバ１内の正圧により移動弁体が着座する弁座１６とを有し、移動弁体は、突出部の上部に当接することで下方への移動を制限されており、吸気側筒部１４の内面には、移動弁体が突出部の上部に当接した状態において、移動弁体から下方に離間して配置され吸気側筒部１４からの移動弁体の抜け出しを抑制する抜け止め部が設けられているように構成した。このような構成の採用によって、移動弁体は、移動範囲の下端において、吸気側筒部１４の内面に設けられた抜け止め部ではなく吸気側筒部１４の径方向内側に設けられ下側チャンバ２０から上方へと延びる突出部に当接するので、移動弁体が移動範囲の下端において他部材に貼り付いたり引っ掛かることを抑制して吸気弁２の作動不良を低減することができる。また、上側チャンバ１０に下側チャンバ２０が未だ装着されていない状態においては、抜け止め部により移動弁体が吸気側筒部１４から抜け出すのを抑制することができる。
【００４８】
また、本実施形態では、突出部は、内部に噴出流路２４ｂが形成された噴出側筒部２４であるように構成した。このような構成の採用によって、発泡用ウィジェット１００を飲料に浮かべたときに噴出孔２４ａを通じて収容空間Ｓ内に侵入する飲料を噴出側筒部２４の径方向内側の空間にのみに限定してより多くのガスを収容空間Ｓ内に充填させることができるため、飲料用容器の開栓時により多くのガスを飲料中に噴出させつつ、移動弁体の貼り付き及び引っ掛かりを抑制することができる。
【００４９】
また、本実施形態では、噴出側筒部２４の上部には、周方向の少なくとも１箇所において移動弁体と噴出側筒部２４との間に隙間を形成する切り欠き部２４ｃが設けられるように構成した。このような構成の採用によって、移動弁体と噴出側筒部２４の上部との接触面積を減らすことができるほか、噴出側筒部２４内の圧力が吸気側筒部１４内の圧力に対して負圧となった場合でも、当該負圧に起因して移動弁体が噴出側筒部２４の上部に貼り付くことを抑制することができる。従って、移動弁体が噴出側筒部２４の上部に当接したときの貼り付きや引っ掛かりを更に抑制することができる。
【００５０】
また、本実施形態では、抜け止め部は、吸気側筒部１４の内面において径方向内側に突出する抜け止めリブ１４ｂであるように構成した。このような構成の採用によって、抜け止め部を吸気側筒部１４と一体形成することができるほか、移動弁体を無理抜きにより吸気流路１６ｂ内にセットすることができるので、発泡用ウィジェット１００の組み立て工程を簡素化することができる。
【００５１】
また、本実施形態では、噴出流路２４ｂの流路面積は、吸気流路１６ｂの流路面積よりも小さくなるように構成した。このような構成の採用によって、飲料用容器の開栓時に収容空間Ｓ内のガスが一気に噴出してしまうことがない。よって、噴出流路２４ｂの流路面積に対応した、泡の発生に適した流量でガスを噴出させることができる。
【００５２】
また、本実施形態では、下側チャンバ２０から上方へ延びると共に噴出側筒部２４の径方向外側に設けられた補助筒部２８，２９を更に備えるように構成した。このような構成の採用によって、輸送時の揺れ等により噴出側筒部２４の径方向外側に飲料が漏れてしまった場合でも、収容空間Ｓ内への飲料の侵入をこの補助筒部２８，２９よりも径方向内側の領域に制限することができる。従って、収容空間Ｓ全体に飲料が入り込むのを抑制してより多くのガスを収容空間Ｓ内に収容して噴出させることができる。すなわち、飲料用容器内の飲料を効率よく発泡することができる。
【００５３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００５４】
例えば、本実施形態では、吸気弁２を球状弁体３０と弁座１６によって構成したが、この態様には限定されない。移動弁体は、球形以外の他の形状を有していてもよい。また、移動弁体は、例えば三点弁等のように弾性部材により弾性支持された構成を有していてもよい。
【００５５】
また、本実施形態では、突出部を噴出側筒部２４として構成したが、この態様には限定されない。突出部は、下側チャンバ２０から上方へ延びる筒状部材以外の他の部材であってもよく、この場合噴出孔２４ａ及び噴出流路２４ｂは必ずしも突出部の内部に設けられていなくてもよい。
【００５６】
また、本実施形態では、噴出側筒部２４の上部における周方向の少なくとも１箇所において切り欠き部２４ｃを設けるように構成したが、この態様には限定されない。切り欠き部２４ｃに代えて、例えば噴出側筒部２４の上部における周方向の一部から上方に突出する凸部を備えていてもよく、噴出側筒部２４の上部と移動弁体とが当接したときの接触面積を低減し、及び／又は噴出側筒部２４の上部と移動弁体との間に隙間を生じさせることができればよい。また、切り欠き部２４ｃや上記凸部は設けなくてもよい。
【００５７】
また、本実施形態では、噴出流路２４ｂの流路面積が吸気流路１６ｂの流路面積よりも小さくなるように構成したが、この態様には限定されず、噴出流路２４ｂの流路面積が吸気流路１６ｂの流路面積と同じであってもよいし、吸気流路１６ｂの流路面積より大きくてもよい。
【００５８】
また、本実施形態では、噴出側筒部２４の径方向外側に補助筒部２８，２９を設けるように構成したが、この態様には限定されず、補助筒部２８，２９は１又は３箇所以上に設けてもよいし、設けていなくてもよい。
【００５９】
また、本実施形態では、吸気側筒部１４と噴出側筒部２４とを同心状に形成したが、この態様には限定されず、両者が同心状に配置されていなくてもよい。
【００６０】
また、本実施形態では、チャンバ１が略球形状を有するように構成したが、この態様には限定されない。チャンバ１は、例えば下側チャンバ２０の外殻部２２が、上側チャンバ１０の外殻部１２よりも平坦な形状となるようにして、発泡用ウィジェット１００の浮き姿勢をより安定化するように構成してもよい。
【符号の説明】
【００６１】
１      チャンバ
２      吸気弁
１０    上側チャンバ
１２    外殻部
１３    嵌合部
１３ａ  フランジ
１３ｂ  嵌合孔
１３ｃ  外周壁
１４    吸気側筒部
１４ａ  段部
１４ｂ  抜け止めリブ（抜け止め部）
１６    弁座
１６ａ  吸気孔
１６ｂ  吸気流路
１６ｄ  吸気筒部
１８    周壁
２０    下側チャンバ
２２    外殻部
２４    噴出側筒部（突出部）
２４ａ  噴出孔
２４ｂ  噴出流路
２４ｃ  切り欠き部
２６    嵌合壁
２６ａ  爪部
２８    補助筒部
２９    補助筒部
３０    球状弁体（移動弁体）
１００  発泡用ウィジェット
Ｏ      軸線
Ｓ      収容空間
【図１】
2020139587.tif 000003
【図２】
2020139587.tif 000004
【図３】
2020139587.tif 000005
【図４】
2020139587.tif 000006
【図５】
2020139587.tif 000007